(57)【要約】【課題】  軽量で、家庭用電源で充電を行なえることは勿論、切刃の交換も簡単に行なえるというこの種の草刈機の利点を保持したまま、草刈作業を更に楽に行なうことができる充電式草刈機を提供すること。【解決手段】  一端にハンドル１１をもつシャフト１０と、シャフト１０の他端に取付けた切刃ユニット２０と、ハンドル１１に組み込まれた電源スイッチ３２をもつ電源ユニットとを備え、切刃ユニット２１の電動機が電源ユニットに電源ケーブルによって接続されている草刈機において、シャフトが伸縮，固定自在に構成され、電源ケーブルがシャフトの全長変化に応じて伸張可能に構成されていること。【選択図】    図１
0003114243.tif 000002
【実用新案登録請求の範囲】
【請求項１】
一端にハンドルをもつシャフトと、シャフトの他端に取付けた切刃ユニットと、ハンドルに組み込まれた電源スイッチをもつ電源ユニットとを備え、切刃ユニットの電動機が電源ユニットに電源ケーブルによって接続されている草刈機において、
シャフトが伸縮，固定自在に構成され、電源ケーブルがシャフトの全長変化に応じて伸張可能に構成されていることを特徴とする充電式草刈機。
【請求項２】
切刃ユニットは、ブレードを着脱自在に保持する回転台を備え、この回転台の中心に前記ブレードの取付ボスを有すると共に、この回転台における取付ボスの周囲に、前記ブレードが嵌まるブレードと略同幅の凹溝部と、この凹溝部の両側壁の点対称な位置に形成した前記ブレードが入る横向き溝部と、横向き溝部にブレードの幅をもって対向した位置に設けたブレード当接突部とを備えた請求項１の草刈機。
【請求項３】
シャフトが複数に分割され、一方のシャフトがその端部にブロック体を嵌合して有すると共に他方のシャフトが一方のシャフトおよびブロック体にスライド可能に嵌合されており、さらに他方のシャフトは、その壁に適宜ピッチで配置された貫通孔を備え、ブロック体は、前記貫通孔とシャフト内部の間を出没する凸状ストッパを備えていると共に電源ケーブルを通す挿通部を備えている請求項１又は２に記載の草刈機。
【請求項４】
シャフトがハンドル側の上部シャフトと切刃ユニット側の下部シャフトとの二つに分割され、下部シャフトがその上端にブロック体を嵌合して有すると共に、上部シャフトが、ブロック体を含む下部シャフトにスライド可能に外嵌されていると共に適宜ピッチで壁面に配置された貫通孔を備える一方、ブロック体が、前記貫通孔から突出する位置と上部シャフトの内部に引っ込む位置との間で出没する凸状ストッパを備えていると共に電源ケーブルを通す挿通部を備えている請求項３に記載の草刈機。
【請求項５】
電源コードが、上部シャフト内部に配置されたカールコードと下部シャフト内部に配置された定長コードからなる請求項４に記載の草刈機。
【考案の詳細な説明】
【技術分野】
【０００１】
本考案は、一般家庭で使用して特に好適な充電式草刈機に関する。
【背景技術】
【０００２】
この種の草刈機として、一端にハンドルをもつシャフトと、シャフトの他端に取付けた切刃ユニットと、ハンドルに組み込まれた電源スイッチをもつ電源ユニットとを備え、切刃ユニットの電動機が電源ユニットに電源ケーブルによって接続されているものは、すでに市場に提供されている。
【０００３】
この草刈機は、シャフトや切刃ユニットのフレームなどがアルミパイプや合成樹脂から形成されていて軽量であり、商用１００Ｖで充電できる充電池を使用しているので家庭用電源で充電を行なえ、しかも、ブレードが合成樹脂製であってその交換も比較的簡単に行なえるようにしているため、主として家庭用の軽便な草刈機として広く使用されている。
【０００４】
しかしながら、この草刈機は、シャフトの長さが固定長であるため、例えば作業者の身長が大きいと屈み込んだ姿勢で作業しなければならず、草刈作業に加えて、肉体的な負担を強いられることがある。逆に、シャフトの長さが使用者にとって長過ぎても、同様に使い勝手に難が生じる。
【０００５】
また、公知の充電式草刈機では、ブレードの交換し易さと使用時にそのブレードが外れることがないということを満足するため、ブレードの取付用穴とブレード取付部の構造，形態が複雑になり、この結果ブレードの交換し易さが損なわれがちであった。
【考案の開示】
【考案が解決しようとする課題】
【０００６】
本考案は上記のような点に鑑み、軽量で、家庭用電源で充電を行なえることは勿論、切刃の交換も簡単に行なえるというこの種の草刈機の利点を保持したまま、草刈作業を更に楽に行なうことができる充電式草刈機を提供することを、課題とする。
【課題を解決するための手段】
【０００７】
上記課題を解決することを目的としてなされた本考案草刈機の構成は、一端にハンドルをもつシャフトと、シャフトの他端に取付けた切刃ユニットと、ハンドルに組み込まれた電源スイッチをもつ電源ユニットとを備え、切刃ユニットの電動機が電源ユニットに電源ケーブルによって接続されている草刈機において、シャフトが伸縮，固定自在に構成され、電源ケーブルがシャフトの全長変化に応じて伸張可能に構成されていることを特徴とするものである。
【０００８】
上記草刈機の切刃ユニットは、ブレードを着脱自在に保持する回転台を備え、この回転台の中心に前記ブレードの取付ボスを有すると共に、この回転台における取付ボスの周囲に、前記ブレードが嵌まるブレードと略同幅の凹溝部と、この凹溝部の両側壁の点対称な位置に形成した前記ブレードが入る横向き溝部と、横向き溝部にブレードの幅をもって対向した位置に設けたブレード当接突部とを備えたものである。
【０００９】
本考案草刈機のより具体的な構成は、シャフトがハンドル側の上部シャフトと切刃ユニット側の下部シャフトとの二つに分割され、下部シャフトがその上端にブロック体を嵌合して有すると共に、上部シャフトが、ブロック体を含む下部シャフトにスライド可能に外嵌されていると共に適宜ピッチで壁面に配置された貫通孔を備える一方、ブロック体が、前記貫通孔から突出する位置と上部シャフトの内部に引っ込む位置との間で出没する凸状ストッパを備えていると共に電源ケーブルを通す挿通部を備えている。
【考案の効果】
【００１０】
本考案草刈機は、シャフトが伸縮自在に構成され、電源ケーブルがシャフトの全長変化に応じて伸張可能に構成して、シャフトを伸縮させることで、使用者の身長に合わせることができるため、使用者が体を屈めるなどの無理な姿勢を強制されずに、長時間にわたっても楽に草刈作業を行なうことができる。また、切刃の交換が容易な上に、使用中に切刃が脱落するおそれもないので、使い勝手が良好な上に安全である。
【考案を実施するための最良の形態】
【００１１】
以下、添付図を参照して本考案草刈機の一実施例を説明する。添付図において、図１は本考案草刈機の全体構成を示す斜視図、図２はシャフトの構成を示す拡大斜視図、図３は図２の３−３線に沿うシャフトの縦断面図、図４は図３の４−４線に沿うシャフトの横断斜視図、図５は図１の矢線５から見た切断刃の装着状態を示す下面図である。
【００１２】
本考案草刈機は、図１に示すように、シャフト１０を備えている。シャフト１０は、中空パイプからなるもので、上端にハンドル１１を有している。シャフト１０の下端には切刃ユニット２０が取付けられており、ハンドル１１の内部には充電式電池を主体とする電源ユニット（図に表れず）が組み込まれている。
【００１３】
切刃ユニット２０は本体２１の内部に小形の電動機（図に表れず）が組み込まれている。本体２１はシャフト１０に嵌合かつ固定されている。本体２１の側面には、軟質プラスチック材からなるリング状のガード２１ａが取付けられている。又、本体２１の下面には、回転台２２が配置されている。回転台２２は、本体２１の内部に組み込まれた電動機の回転軸に固定されていてその軸と一体に回転する。図５に示すように、回転台２２の下面にはブレード２３と略同幅（ブレードが嵌まる幅）の凹溝２７が形成され、ブレード２３が回転台２２に着脱自在に取付けられる。
【００１４】
ブレード２３は、図５に示すように、２枚プロペラ（又は竹トンボ）状のもので、中央から両側縁に向かって次第に肉を薄くすることによって刃部２４が形成されている。回転台２２に対する装着は、凹溝２７内に位置させて、中央の取付孔２５を回転台２２の中央の取付ボス２６に差し込むことによってなされるが、その詳細は次の通りである。
即ち、取付ボス２６の周囲には、前記ブレード２３が嵌まるブレードと略同幅の凹溝２７と、この凹溝２７の両側壁の点対称な位置に形成した前記ブレード２３が入る横向き溝部２８ａと、横向き溝部２８ａにブレード２３の幅をもって対向した位置に設けたブレード当接突部２８ｂが設けられており、ボス２６に孔２５を嵌めたブレード２３の固定は、そのブレード２３を図５の鎖線の状態（凹溝２７に嵌めた状態）から実線の状態にボス２６の上で時計回り側へ回転させ、ブレード２３の一側縁を凹溝２７の側壁にある横向き溝部２８ａに嵌め込み、反対側の側縁を当接突部２８ｂの側面に突き当てることでなされる。
【００１５】
ブレード２３の交換は、電動機を止め、回転台２２を手で押さえ、ブレード２３を当接突部２８ｂから外れるように少し浮かせ、実線の位置から鎖線の位置までボス２６を中心に反時計回り側へ回転させ、ブレード２３の側縁を横向き凹溝部２８ａから外してボス２６から抜き元のブレード２３を取外す。新たなブレード２３は、前記のブレード外しとは逆の順序で操作することにより、新たなブレード２３を回転台２２に取付けて固定する。
【００１６】
電源ユニットは、図１に示すように、充電池３１、電動機と充電池との切り離し及び接続を行なう電源スイッチ３２などを含むもので、充電池３１は、電源スイッチ３２を介して電動機に接続されている。接続は、図３に示すように、カールコード３３及び直線状の定長コード３４によってなされている。なお、充電池３１は、ハンドル１１にある収容室に収容され、ハンドル後面にある扉（図示せず）を通じて出し入れされる。
【００１７】
シャフト１０は上部シャフト１２及び下部シャフト１３からなっている。ハンドル１１は上部シャフト１２の上端に固定されている。図３に示すように、上部シャフト１２と下部シャフト１３との間には、ブロック体４０が配置されている。
【００１８】
ブロック体４０は、下部シャフト１３の内径に対応する外径をもつ大径部４１と、下部シャフト１３と同じ直径をもつ小径部４２とを有している。小径部４２は、下部シャフト１３の上端に嵌合かつ固定されている。下部シャフト１３は、ブロック体４０によって上部シャフト１２の内部で長さを大きくされ、上部シャフト１２は、ブロック体４０の大径部４１及び下部シャフト１３にスライド可能に嵌められ、大きなスライド長さを付与されている。
【００１９】
ブロック体４０の小径部４２の周面には、凸状ストッパ４３を組み込まれている。上部シャフト１２には、貫通孔４５が軸芯方向に間隔を置いて、例えば、一定間隔ごとに設けられている。凸状ストッパ４３は、先端が丸い柱状のもので、図４に示すように、小径部４２に設けた凹み４４にコイルばねなどの弾性体４６を介して挿入され、つば４７によって下部シャフト１３から抜け出しを止められていると共に、下部シャフト１３の貫通孔４８及び上部シャフト１２の貫通孔４５を抜けて出て上部シャフト１２の周面から突出する位置と、弾性体４６に抗して下降して下部シャフト１３の内部に引っ込む位置との間を動くことができる。
【００２０】
更に、ブロック体４０には、貫通孔又は切り欠きの形態をもつ、カールコード３３及び定長コード３４を通す挿通部４９が設けられている。カールコード３３は、電源スイッチ３２に一端を接続され、他端をブロック体４０にある中継部（図示せず）に固定され、中間を上部シャフト１２の挿通部４９を通されている。定長コード３４は、中間を下部シャフト１３の挿通部４９に通して、一端を前記中継部によってカールコード３３に電気接続され、他端を電動機に接続されている。
【００２１】
この草刈機は、ハンドル１１を手で握り、電源スイッチ３２を押すことによって、切刃ユニット２０の電動機が作動し、ブレードが回転して、草刈を行なうことができる。本考案草刈機では、このときに、シャフト１０の長さを変えることによって、ハンドル１１の高さを使用者の身長に合わせることができる。シャフト１０の長さ調整は、凸状ストッパ４３を押し下げ、上部シャフト１２をスライドさせ、凸状ストッパ４３を他の貫通孔４５から突出させ、使用者の身長に応じてシャフト１０に長さを変えることによって行なうことができる。
【００２２】
このため、作業者は、屈んだ姿勢での作業を強制されず、作業負担が著しく軽減され、作業を安楽にかつ短時間で行なうことができる。しかも、ブロック体４０の大径部４１が下部シャフト１３と一緒に上部シャフト１２を担持し、シャフト１０を一杯まで伸ばしても、剛性が高いため、安定して作業を行なうことができる。なお、作業の終了は、電源スイッチ３２を再度押して電動機を止めることで行なうが、このときに、凸状ストッパ４３を押し、上部シャフト１２を押し込むことで、シャフト１０の全長を短くなり、草刈機が小型化するので、収納場所を選ばない。
【００２３】
又、本考案草刈機は、製造に際しても、ブロック体４０を下部シャフトに差し込むだけで、シャフト１０の長さを変えるようにすることができるので、組立てが簡単であり、仕上げを要求される下部シャフト１３の全長も短くすることができて、製造コストも低減することができる。更に、ブロック体４０に上部シャフト１２との間の摩擦係数の小さな材料を使用することによって、長期にわたってシャフト１０スムーズに伸縮させることもできる。
【００２４】
なお、以上説明した実施例において、電源ユニットとブロック体４０とをカールコード３３によって電気接続しているが、上部シャフト１２の伸縮に応じられる長さの真っ直ぐなコードを使用するなど、本考案の範囲を逸脱しない範囲での変更、改造などを行なうことができる。
【図面の簡単な説明】
【００２５】
【図１】本考案草刈機の全体構成を示す斜視図。
【図２】シャフトの構成を示す拡大斜視図。
【図３】図２の３−３線に沿うシャフトの縦断面図。
【図４】図３の４−４線に沿うシャフトの横断斜視図。
【図５】図１の矢線５から見た切断刃の装着状態を示す下面図
【符号の説明】
【００２６】
１０      シャフト
１１      ハンドル
１２      上部シャフト
１３      下部シャフト
２０      切刃ユニット
２１      切刃ユニットの本体
２２      回転台
２３      ブレード
２４      刃部
２５      取付孔
２６      ボス
２７      凹溝部
２８ａ    横向き溝部
２８ｂ    当接突部
３１      充電池
３２      電源スイッチ
３３      カールコード
３４      定長コード
４０      ブロック体
４１      大径部
４２      小径部
４３      凸状ストッパ
４４      凹み
４５      上部シャフトの貫通孔
４６      弾性体
４７      つば
４８      下部シャフトの貫通孔
４９      コードの挿通部
【図１】
0003114243.tif 000003
【図２】
0003114243.tif 000004
【図３】
0003114243.tif 000005
【図４】
0003114243.tif 000006
【図５】
0003114243.tif 000007